【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
ビデオデータをエンコードするためのビデオエンコーディングデバイスであって、
ｉ）  第１のエンコーディングスキームに従って入力ビデオデータをエンコードし、前記入力ビデオデータよりも低い品質を有する第１の符号化されたビデオデータを出力するための第１のエンコーダと、
ｉｉ）  ＰＰＧ関連情報を保存する第２のエンコーディングスキームに従って入力ビデオデータをエンコードし、第２の符号化されたビデオデータを出力するための第２のエンコーダとを有し、
前記第２のエンコーディングユニットは、
−  とりわけ前記第１のエンコーディングスキームに対して相補的なデコーディングスキームに従って前記第１の符号化されたビデオデータをデコードし、中間ビデオデータを出力するためのデコーディングユニットと、
−  前記中間ビデオデータと前記入力ビデオデータとの間の差分を決定することにより差分ビデオデータを形成するための減算ユニットと、
−  最も強いＰＰＧ信号を供給する前記差分ビデオデータにおける関心のある領域を選択するための選択ユニットと、
−  前記差分ビデオデータの選択された関心のある領域をエンコードし、これを前記第２の符号化されたビデオデータとして出力するためのエンコーディングユニットとを有する、ビデオエンコーディングデバイス。
【請求項２】
前記入力ビデオデータを分析して最も強いＰＰＧ信号を供給する関心のある領域を決定し、前記差分ビデオデータにおいて前記関心のある領域を選択するための前記選択ユニットに前記関心のある領域の位置に関するＲＯＩ情報を供給するための分析ユニットを更に有する、請求項１に記載のビデオエンコーディングデバイス。
【請求項３】
前記エンコーディングユニットは、前記差分ビデオデータにおける選択された関心のある領域だけでなく、追加の領域又は完全な差分ビデオデータをもエンコードするように適合される、請求項１に記載のビデオエンコーディングデバイス。
【請求項４】
前記減算ユニットは、前記中間ビデオデータのビデオフレームと前記入力ビデオデータの対応するビデオフレームとの間のピクセルベースの差分を決定することにより前記差分ビデオデータを形成するように適合される、請求項１に記載のビデオエンコーディングデバイス。
【請求項５】
前記選択ユニットは、前記差分ビデオデータにおける前記関心のある領域の少なくともクロミナンス成分（とりわけクロミナンス成分のみ）を選択するように適合され、
前記エンコーディングユニットは、前記差分ビデオデータにおける選択された関心のある領域の少なくともクロミナンス成分（とりわけクロミナンス成分のみ）をエンコードするように適合される、請求項１に記載のビデオエンコーディングデバイス。
【請求項６】
前記エンコーディングユニットは、前記差分ビデオデータにおける選択された関心のある領域の少なくともクロミナンス成分（とりわけクロミナンス成分のみ）のブロック間又はブロック内部のＤＣ成分だけをエンコードするように適合される、請求項１に記載のビデオエンコーディングデバイス。
【請求項７】
前記エンコーディングユニットは、前記入力ビデオデータにおける選択された関心のある領域の位置に関するＲＯＩ情報のエンコード又は前記第２の符号化されたビデオデータへの追加のために適合される、請求項１に記載のビデオエンコーディングデバイス。
【請求項８】
前記選択ユニットは、最も強いＰＰＧ信号を供給する前記差分ビデオデータにおける２つ以上の関心のある領域を選択するように適合され、
前記エンコーディングユニットは、前記差分ビデオデータの選択された関心のある領域をエンコードし、これらを前記第２の符号化されたビデオデータとして出力するように適合される、請求項１に記載のビデオエンコーディングデバイス。
【請求項９】
ビデオデータをエンコードするためのビデオエンコーディング方法であって、
第１のエンコーディングスキームに従って入力ビデオデータをエンコードし、前記入力ビデオデータよりも低い品質を有する第１の符号化されたビデオデータを出力するステップと、
とりわけ前記第１のエンコーディングスキームに対して相補的なデコーディングスキームに従って、前記第１の符号化されたビデオデータをデコードし、中間ビデオデータを出力するステップと、
前記中間ビデオデータと前記入力ビデオデータとの間の差分を決定することにより差分ビデオデータを形成するステップと、
最も強いＰＰＧ信号を供給する前記差分ビデオデータにおける関心のある領域を選択するステップと、
前記差分ビデオデータの選択された関心のある領域をエンコードし、これを、ＰＰＧ関連情報を保存する第２の符号化されたビデオデータとして出力するステップとを有する、ビデオエンコーディング方法。
【請求項１０】
エンコードされたビデオデータをデコードするためのビデオデコーディングデバイスであって、前記エンコードされたビデオデータは、第１のエンコードスキームに従ってエンコードされ、入力ビデオデータより低い品質を有する第１の符号化されたビデオデータを有し、ＰＰＧ関連情報を保存する第２のエンコーディングスキームに従ってエンコードされた第２の符号化されたビデオデータを有し、
前記ビデオデコーディングデバイスは、
ｉ）  第１のデコーディングスキームに従って前記第１の符号化されたビデオデータをデコードし、第１のデコードされたビデオデータを出力するための第１のデコーダと、
ｉｉ）  第２のエンコーディングスキームに従って前記第２の符号化されたビデオデータをデコードし、ＰＰＧ信号を出力するための第２のデコーダとを有し、
前記第２のデコーディングユニットは、
−  とりわけ前記入力ビデオデータをエンコードするために使用される前記第２のエンコーディングスキームにおいて使用されるエンコーディングスキームに対して相補的なデコーディングスキームに従って、前記第２の符号化されたビデオデータをデコードし、前記第１の符号化されたビデオデータにおける選択された関心のある領域の位置に関するＲＯＩ情報を取り出し、第２のデコードされたビデオデータ及び前記ＲＯＩ情報を出力するためのデコーディングユニットと、
−  前記第１のデコードされたビデオデータに前記第２のデコードされたビデオデータを加えることにより加算ビデオデータを形成するための加算ユニットと、
−  前記ＲＯＩ情報を用いて前記加算ビデオデータにおける関心のある領域を選択する選択ユニットであって、前記関心のある領域は、最も強いＰＰＧ信号を供給する、選択ユニットと、
−  前記加算ビデオデータにおける選択された関心のある領域から前記ＰＰＧ信号を抽出するためのＰＰＧ抽出ユニットとを有する、ビデオデコーディングデバイス。
【請求項１１】
前記デコーディングユニットは、前記第２の符号化されたビデオデータの少なくともクロミナンス成分（とりわけクロミナンス成分のみ）をデコードするように適合される、請求項１０に記載のビデオデコーディングデバイス。
【請求項１２】
前記デコーディングユニットは、選択された関心のある領域の符号化されたビデオデータだけでなく、追加の領域又は完全な入力ビデオデータの符号化されたビデオデータをも有する第２の符号化されたビデオデータをデコードするように適合される、請求項１０に記載のビデオデコーディングデバイス。
【請求項１３】
エンコードされたビデオデータをデコードするためのビデオデコーディング方法であって、前記エンコードされたビデオデータは、第１のエンコードスキームに従ってエンコードされ、入力ビデオデータより低い品質を有する第１の符号化されたビデオデータを有し、ＰＰＧ関連情報を保存する第２のエンコーディングスキームに従ってエンコードされた第２の符号化されたビデオデータを有し、
当該ビデオデコーディング方法は、
第１のデコーディングスキームに従って前記第１の符号化されたビデオデータをデコードし、第１のデコードされたビデオデータを出力するステップと、
とりわけ前記入力ビデオデータをエンコードするために使用される前記第２のエンコーディングスキームにおいて使用されるエンコーディングスキームに対して相補的なデコーディングスキームに従って、前記第２の符号化されたビデオデータをデコードし、前記第１の符号化されたビデオデータにおける選択された関心のある領域の位置に関するＲＯＩ情報を取り出し、第２のデコードされたビデオデータ及び前記ＲＯＩ情報を出力するステップと、
前記第１のデコードされたビデオデータに前記第２のデコードされたビデオデータを加えることにより加算ビデオデータを形成するステップと、
前記ＲＯＩ情報を用いて前記加算ビデオデータにおける関心のある領域を選択するステップであって、前記関心のある領域は、最も強いＰＰＧ信号を供給する、ステップと、
前記加算ビデオデータにおける選択された関心のある領域から前記ＰＰＧ信号を抽出するステップとを有する、ビデオデコーディング方法。
【請求項１４】
ビデオデータをエンコード及びデコードするためのビデオ符号化システムであって、
入力ビデオデータをエンコードするための請求項１に記載のビデオエンコーディングデバイスと、
前記ビデオエンコーディングデバイスによりエンコードされたエンコードされたビデオデータをデコードするための請求項１０に記載のビデオデコーディングデバイスとを有する、ビデオ符号化システム。
【請求項１５】
コンピュータプログラムがコンピュータ上で実行されたときに請求項９又は請求項１３に記載の方法のステップを前記コンピュータに実行させるためのコンピュータプログラムコード手段を有する、コンピュータプログラム。